(57)【要約】【課題】  信号伝達部材に備えられた素子から放熱がさらにスムーズになされるだけでなく、素子保護の効果を高めるプラズマディスプレイ装置を提供すること。【解決手段】  画像を表示するＰＤＰと、ＰＤＰの後部に配置されたシャーシーベースと、シャーシーベースの後部に配置されてＰＤＰを駆動させる回路部と、ＰＤＰと回路部とを連結してそれらの間に電気的信号を伝達するものであって、少なくとも１つの素子が各々備えられ、相互に離隔した複数の信号伝達部材と、信号伝達部材の各素子をシャーシーベースから所定空間に離隔した状態で取り囲む複数のカバー部材と、を含むプラズマディスプレイ装置が提供される。【選択図】  図４
2006113543.tif 000002
【特許請求の範囲】
【請求項１】
画像を表示するプラズマディスプレイパネルと、
前記プラズマディスプレイパネルの後部に配置されたシャーシーベースと、
前記シャーシーベースの後部に配置されて前記プラズマディスプレイパネルを駆動させる回路部と、
前記プラズマディスプレイパネルと前記回路部とを連結してそれらの間に電気的信号を伝達するものであって、少なくとも１つの素子が各々備えられ、相互に離隔した複数の信号伝達部材と、
前記信号伝達部材の各素子をシャーシーベースから所定空間だけ離隔した状態で取り囲む複数のカバー部材と、を含むプ
ラズマディスプレイ装置。
【請求項２】
前記カバー部材は、前記信号伝達部材に一対一で対応するように配置されたことを特徴とする、請求項１に記載のプラズマディスプレイ装置。
【請求項３】
前記カバー部材には前記素子が収容されるとともに、その底面に閉鎖された溝部が形成されることを特徴とする、請求項１または請求項２に記載のプラズマディスプレイ装置。
【請求項４】
前記カバー部材は、
前記信号伝達部材に平行に形成されて前記素子を覆う本体部と、
前記本体部の両端から各々前記シャーシーベースに向かって曲って延在するように形成された延長部と、を備えてなることを特徴とする、請求項３に記載のプラズマディスプレイ装置。
【請求項５】
前記信号伝達部材は、本体部に固定されることを特徴とする、請求項４に記載のプラズマディスプレイ装置。
【請求項６】
前記延長部は、前記シャーシーベースに固定されることを特徴とする、請求項４に記載のプラズマディスプレイ装置。
【請求項７】
前記素子と溝部との間には、液状又はゲル状の熱伝導媒体が介在することを特徴とする、請求項３に記載のプラズマディスプレイ装置。
【請求項８】
前記熱伝導媒体は、グリースであることを特徴とする、請求項７に記載のプラズマディスプレイ装置。
【請求項９】
前記プラズマディスプレイパネルは、
前面基板と、
前記前面基板の背面に形成された背面誘電体層と、
前記背面誘電体層内に埋め込まれた維持電極対と、
前記前面誘電体層の背面に形成された保護膜と、
前記前面基板と対向する背面基板と、
前記背面基板の前面に形成された背面誘電体層と、
前記背面誘電体層内に埋め込まれて前記維持電極対と交差するように形成されたアドレス電極と、
前記背面誘電体層上に形成されて放電空間を限定する隔壁と、
前記放電空間内に配置された蛍光体層と、を備えてなることを特徴とする、請求項１に記載のプラズマディスプレイ装置。
【請求項１０】
前記カバー部材は、前記アドレス電極と前記回路部のアドレス駆動部との間を電気的に連結させる信号伝達部材に配されることを特徴とする、請求項９に記載のプラズマディスプレイ装置。
【請求項１１】
前記アドレス電極と前記アドレス駆動部は、ＨＤ（Ｈｉｇｈ  Ｄｅｆｉｎｉｔｉｏｎ）シングルスキャン方式で駆動されるように構成されることを特徴とする、請求項１０に記載のプラズマディスプレイ装置。
【請求項１２】
前記信号伝達部材は、アドレス駆動ＩＣが備えられたＴＣＰ（Ｔａｐｅ  Ｃａｒｒｉｅｒ  Ｐａｃｋａｇｅ）又はＣＯＦ（Ｃｈｉｐ  Ｏｎ  Ｆｉｌｍ）であることを特徴とする、請求項１０に記載のプラズマディスプレイ装置。
【発明の詳細な説明】
【技術分野】
【０００１】
本発明は、プラズマディスプレイ装置に係り、より詳細には、信号伝達部材に備えられた素子から発生した熱がさらにスムーズに放出されるようにその構造が改善されたプラズマディスプレイ装置に関する。
【背景技術】
【０００２】
プラズマディスプレイ装置は、ガス放電現象を用いて画像を表示する平板ディスプレイであって、表示容量、輝度、コントラスト、残像及び視野角などの各種表示能力に優れ、薄型でかつ大画面表示が可能で、陰極線管を代替することができる次世代平板ディスプレイとして脚光を浴びている。
【０００３】
通常、このようなプラズマディスプレイ装置は、プラズマディスプレイパネル（ＰＤＰ）と、前記ＰＤＰと実質的に平行に配されるシャーシーベースと、前記シャーシーベースの後部に装着してＰＤＰを駆動させる回路部、前記ＰＤＰ、シャーシーベース及び、回路部を収容するケースなどを含んで構成される。
【０００４】
前記のようなプラズマディスプレイ装置において、回路部とＰＤＰとの間は、ＴＣＰ（Ｔａｐｅ  Ｃａｒｒｉｅｒ  Ｐａｃｋａｇｅ）や、ＣＯＦ（Ｃｈｉｐ  Ｏｎ  Ｆｉｌｍ）などの信号伝達部材により電気的に連結されてパネルを駆動させる。前記ＴＣＰは、テープ形態に、素子、例えば、駆動ＩＣなどを実装させてパッケージとして形成したものであり、ＣＯＦは、ＦＰＣ（Ｆｌｅｘｉｂｌｅ  Ｐｒｉｎｔｅｄ  Ｃａｂｌｅ）を構成するフィルム上に素子を実装したものである。このようなＴＣＰ、ＣＯＦは柔軟性を有し、かつ複数の素子が実装されるので回路部の大きさを減らして広く利用し得る。
【０００５】
ところで、前記のようなＴＣＰやＣＯＦにおいて、ＰＤＰの駆動時、これらに実装された素子から多くの熱が発生するが、このような熱がスムーズに放出できなければ、素子を誤作動させることによって、ＰＤＰの画像再現に問題をもたらす。特に、ＰＤＰがＨＤ（Ｈｉｇｈ  Ｄｅｆｉｎｉｔｉｏｎ）シングルスキャン（ｓｉｎｇｌｅ  ｓｃａｎ）方式で駆動される構造である場合には、回路部のアドレス駆動部アドレス電極の間を連結するＴＣＰやＣＯＦに実装された素子からさらに多量の熱が発生するので、このような素子から発生した熱を効率よく放出し得る手段が研究されている。
【発明の開示】
【発明が解決しようとする課題】
【０００６】
本発明の目的は、信号伝達部材に備えられる素子から放熱がさらにスムーズになされるだけでなく、素子保護の効果を高めるプラズマディスプレイ装置を提供することである。
【課題を解決するための手段】
【０００７】
前記目的を達成するための本発明によるプラズマディスプレイ装置は、画像を表示するＰＤＰと、前記ＰＤＰの後部に配置されたシャーシーベースと、前記シャーシーベースの後部に配置されて前記ＰＤＰを駆動させる回路部と、前記ＰＤＰと前記回路部とを連結してそれらの間に電気的信号を伝達するものであって、少なくとも１つの素子が各々備えられ、相互に離隔された複数の信号伝達部材と、前記信号伝達部材の各素子をシャーシーベースから所定空間離だけ隔した状態で取り囲む複数のカバー部材と、を含む。
【発明の効果】
【０００８】
本発明によれば、信号伝達部材に備えられた素子、特にＨＤシングルスキャン方式において、回路部のアドレス駆動部アドレス電極間を連結する信号伝達部材に備えられた素子をシャーシーベースから離隔した状態で取り囲むことができるカバー部材が備えることによって、素子が保護される一方、対流による素子の放熱をなし得る。そして、前記カバー部材に素子が収容される溝部が形成され、形成された溝部内に熱伝導媒体が配されることによって、素子が保護される効果が高まり、素子の放熱がさらにスムーズになし得る。したがって、素子の作動信頼性を確保し得る。
【発明を実施するための最良の形態】
【０００９】
図１は、本発明の一実施例によるプラズマディスプレイ装置を示す分離斜視図であり、図２は、図１に示すＰＤＰの一例を示す部分分離斜視図である。
【００１０】
図１を参照すれば、本発明の一実施例によるプラズマディスプレイ装置１００には画像を表示するＰＤＰ１１０を備える。
【００１１】
前記ＰＤＰ１１０として、多様な種類のＰＤＰのうちから何れか１つが採用されるが、その一例として、図２に示すような面放電型３電極構造を有する交流型ＰＤＰを採用し得る。
【００１２】
図２に示すＰＤＰ１１０は、前面パネル１２０と、前記前面パネル１２０と対向して結合される背面パネル１３０と、を備える。
【００１３】
前記前面パネル１２０は、前部に配置された前面基板１２１と、前記前面基板１２１の背面に形成されてＸ電極１２３とＹ電極１２４の対として各々構成された維持電極対１２２と、前記維持電極対１２２を覆うように形成された前面誘電体層１２５と、前記前面誘電体層１２５の背面に形成された保護膜１２６と、を含む。前記維持電極対１２２を構成するＸ電極１２３とＹ電極１２４は、各々共通電極とスキャン電極として作用し、相互間は放電ギャップ程離隔している。そして、前記Ｘ電極１２３はＸ透明電極１２３ａとこれと接続されるように形成されたＸバス電極１２３ｂと、を備えており、これと同様に、Ｙ電極１２４も、Ｙ透明電極１２４ａとこれと接続されるように形成されたＹバス電極１２４ｂと、を備える。
【００１４】
前記背面パネル１３０は、後部に配置された背面基板１３１と、前記背面基板１３１の前面に形成されて前記維持電極対１２２と交差する方向に延在するアドレス電極１３２と、前記アドレス電極１３２を覆うように形成された背面誘電体層１３３と、前記背面誘電体層１３３上に形成されて放電空間１３５を画定する隔壁１３４と、前記放電空間１３５内に配置された蛍光体層１３６と、前記放電空間１３５内に充填される放電ガスと、を含む。前記隔壁１３４は、少なくとも１つのアドレス電極１３２を挟んで、これと各々平行に延在し、維持電極対１２２とアドレス電極１３２とが交差する領域が各々放電空間１３５に対応するように形成される。
【００１５】
前記のような構成を有するＰＤＰ１１０の後部には、シャーシーベース１４０が配置される。前記シャーシーベース１４０は、アルミニウムのような素材から形成され、ＰＤＰ１１０を支持する一方、ＰＤＰ１１０から発生した熱を伝達して外部に放出する。前記シャーシーベース１４０は、曲げ変形や撓み変形などが防止されるように、前記シャーシーベース１４０の縁部が後向きに折り曲げられた構造に構成し得る。
【００１６】
前記シャーシーベース１４０は、両面テープのような接着部材によりＰＤＰ１１０と結合され、前記シャーシーベース１４０とＰＤＰ１１０との間には、放熱部材（図示せず）が介在してＰＤＰ１１０から発生した熱を外部に放出し得る。
【００１７】
そして、前記シャーシーベース１４０の後部には、回路部１５０が設けられるが、前記回路部１５０には各種電子部品が複数個含まれる。前記のような回路部１５０は、ＰＤＰ１１０を駆動させるには、図３に示すように、映像処理部１５１、論理制御部１５２、アドレス駆動部１５３、Ｘ駆動部１５４、Ｙ駆動部１５５、及び電源供給部１５６などを含んで構成し得る。
【００１８】
ここで、前記映像処理部１５１は、外部アナログ映像信号をデジタル信号に変換して内部映像信号、例えば、各々８ビットの赤色、緑色及び青色映像データ、クロック信号、垂直及び水平同期信号を発生させる。前記論理制御部１５２は、映像処理部１５１からの内部映像信号によって駆動制御信号ＳＡ、ＳＹ、ＳＸを発生させる。前記アドレス駆動部１５３は、論理制御部１５２からの駆動制御信号ＳＡ、ＳＹ、ＳＸのうち、アドレス信号ＳＡを処理して表示データ信号を発生させ、発生した表示データ信号をアドレス電極１３２に印加する。前記Ｘ駆動部１５４は、論理制御部１５２からの駆動制御信号ＳＡ、ＳＹ、ＳＸのうち、Ｘ駆動制御信号ＳＸを処理してＸ電極１２３に印加する。前記Ｙ駆動部１５５は論理制御部１５２からの駆動制御信号ＳＡ、ＳＹ、ＳＸのうち、Ｙ駆動制御信号ＳＹを処理してＹ電極１２４に印加する。
【００１９】
そして、前記電源供給部１５６は、映像処理部１５１及び論理制御部１５２に必要とする動作電圧と、アドレス駆動部１５３、Ｘ駆動部１５４及び、Ｙ駆動部１５５に必要とする動作電圧を生成して供給する。
【００２０】
前記のように構成された回路部１５０は、ＰＤＰ１１０、シャーシーベース１４０と共にフロントカバー及びバックカバー（図示せず）よりなったケースにより収容することによって、プラズマディスプレイ装置１００を構成する。
【００２１】
一方、前記回路部１５０は、信号伝達部材により電気的信号をＰＤＰ１１０に伝達する。前記信号伝達部材としては、ＦＰＣ（Ｆｌｅｘｉｂｌｅ  Ｐｒｉｎｔｅｄ  Ｃａｂｌｅ）、ＴＣＰ、ＣＯＦのうち、少なくとも１つが選択されて採用し得る。本実施例によれば、シャーシーベース１４０の左側及び右側に配置されて回路部１５０と接続された信号伝達部材としては、ＦＰＣ１６０が採用され、シャーシーベース１４０の下側に配置されて回路部１５０と接続された信号伝達部材としては、各々テープ形態の配線部１７１に少なくとも１つの素子１７２を実装してパッケージとして形成したＴＣＰ１７０が採用される。
【００２２】
そして、図示するようにシャーシーベース１４０の下側に集合されて所定間隔に各々離隔した状態で配列されたＴＣＰ１７０は、ＰＤＰ１１０をＨＤ（Ｈｉｇｈ  Ｄｅｆｉｎｉｔｉｏｎ）シングルスキャン（ｓｉｎｇｌｅ  ｓｃａｎ）方式で駆動されるように各々構成されたアドレス電極１３２と、アドレス駆動部１５３と、において、それらの間を電気的に連結する。
【００２３】
すなわち、前記ＴＣＰ１７０の配線部１７１は、シャーシーベース１４０の下側縁部を経てそれぞれの一端部はＰＤＰ１１０に備えられたアドレス電極１３２に連結され、それぞれの他端部は、回路部１５０のアドレス駆動部１５３と連結される。そして、前記ＴＣＰ１７０の配線部１７１にはアドレス駆動ＩＣのような素子１７２が各々少なくとも１個ずつ実装されるが、前記素子１７２は、シャーシーベース１４０の後部縁部に配置される。
【００２４】
前述したように配置されたＴＣＰ１７０の素子１７２は、本発明の一つの特徴による複数のカバー部材１８０によりシャーシーベース１４０から離隔した状態で取り囲まれる。
【００２５】
このためにカバー部材１８０は、図４及び図５に詳細に示すように、ＴＣＰ１７０と一対一で対応して、前記ＴＣＰ１７０のそれぞれの一部分を取り囲むように配置される。そして、それぞれのカバー部材１８０はＴＣＰ１７０と平行に形成されて素子１７２を覆う本体部１８１と、前記本体部１８１の両端から各々曲がって延在するように形成された延長部１８２と、を備える。
【００２６】
ここで、前記本体部１８１は、ＴＣＰ１７０の配線部１７１と固定ピン１８４のような部材により固定され、前記延長部１８２はシャーシーベース１４０に向かって各々曲がって延在した端部がねじ１８５のような部材によりシャーシーベース１４０に各々結合される。これにより、素子１７２が本体部１８１により覆われて保護されると共に、前記素子１７２がシャーシーベース１４０から離隔した状態に置かれることによって、対流により素子１７２から発生した熱が発散される。一方、前記カバー部材１８０、シャーシーベース１４０及び、ねじ１８５が何れも金属素材から構成されると、前記カバー部材１８０がシャーシーベース１４０に接地可能になる。これにより、前記ＴＣＰ１７０の素子１７２から発生したＥＭＩ（Ｅｌｅｃｔｒｏ  Ｍａｇｎｅｔｉｃ  Ｉｎｔｅｒｆｅｒｅｎｃｅ）を吸収して遮蔽する役割が可能となる。この際、前記カバー部材１８０の延長部１８２がシャーシーベース１４０と当接して結合されるので、前記カバー部材１８０のシャーシーベース１４０に接地される面積が拡大して、ＥＭＩの遮蔽効果が高まる。
【００２７】
前記カバー部材１８０の本体部１８１により覆われる素子１７２は、配線部１７１から本体部１８１に向かって各々突出した構造よりなるが、前記本体部１８１の素子１７２に対向する面には突出した素子１７２が各々収容されて保護されるように溝部１８３を形成し得る。ここで、前記溝部１８３はこれらの底面が各々閉鎖された形状からなっており、前記溝部１８３の内側面と素子１７２の外側面との間が所定間隔をおいて保持される程度の大きさに形成される。一方、前記溝部は、図示するものに限定されず、１つを備えて２つの素子を共に収容する構造より構成し得る。
【００２８】
前記のような構造を有する溝部１８３には、素子１７２が収容された状態で図５に示すように、熱伝導媒体１９０が配される。すなわち、前記素子１７２の突出した外側面と溝部１８３の内側面との間に液状又はゲル状の熱伝導媒体１９０が配置される。前記熱伝導媒体１９０の一例としては、グリースが用いられるが、前記グリースは液体の鉱油系オイルに金属石鹸と少量の水とを加えてコロイド状態に混合して製造したものであって、所定の粘性を有する。前記グリースには、鉱油系オイルの代わりにシリコンオイルなどの合成オイルを含み得る。
【００２９】
前記のような液状又はゲル状の熱伝導媒体１９０は、溝部１８３と素子１７２との間に完全に充填され、素子１７２から発生した熱が熱伝導媒体１９０を経てカバー部材１８０に伝えた後、周辺空気との熱交換により発散し得る。また、前記カバー部材１８０に伝達された熱はシャーシーベース１４０に再び伝達した後、周辺空気との熱交換に発散し得る。一方、前記熱伝導媒体１９０の粘性は、プラズマディスプレイ装置１００が鉛直に立てられて使われる一般的な状況で、重力により熱伝導媒体１９０が溝部１８３から流れ出ない程度であることが望ましい。
【００３０】
前述したように熱伝導媒体１９０が充填された溝部１８３に各々収容した素子１７２は放熱がなされるのと同時に、安全に保護された状態となり、素子１７２の反対側はシャーシーベース１４０と所定間隔だけ離隔して空間を画成することによって、前記空間を流動する周辺空気との熱交換により素子１７２の放熱がなされる。このようにＴＣＰ１７０の素子１７２から発生された熱が外部にスムーズに放出されることによって、素子１７２の作動信頼性を十分に確保し得る。一方、本実施例によれば、カバー部材１８０はＴＣＰ１７０と一対一で対応する構造よりなるが、他の例として少なくとも２つ以上のＴＣＰに共に対応する構造よりなリ得る。
【００３１】
本発明は添付した図面に示す一実施例に基づいて説明してきたが、これは例示的なものに過ぎず、当業者ならば、これから、多様な変形及び均等な他実施例をなすことが可能であるという点を理解できるであろう。したがって、本発明の真の保護範囲は、特許請求の範囲によってのみ決まるべきである。
【産業上の利用可能性】
【００３２】
本発明は信号伝達部材に備えられた素子から放熱がさらにスムーズになされるだけでなく、素子保護の効果が高まるプラズマディスプレイ装置に好適に適用可能である。
【図面の簡単な説明】
【００３３】
【図１】本発明の一実施例によるプラズマディスプレイ装置を示す分離斜視図である。
【図２】図１に示すＰＤＰの一例を示す部分斜視図である。
【図３】図１に示す回路部の駆動を説明するためのブロック線図である。
【図４】図１に示すカバー部材が信号伝達部材に配置される状態を抜粋して示す部分分離斜視図である。
【図５】図４のＶ−Ｖ線に沿って切断して示す部分断面図である。
【符号の説明】
【００３４】
１１０  ＰＤＰ
１２０  前面パネル
１２１  基板
１２２  維持電極対
１２３  Ｘ電極
１２３ａ  Ｘ透明電極
１２３ｂ  Ｘバス電極
１２４  Ｙ電極
１２４ａ  Ｙ透明電極
１２４ｂ  Ｙバス電極
１２５  誘電体層
１２６  保護膜
１３０  背面パネル
１３１  背面基板
１３２  アドレス電極
１３３  背面誘電体層
１３５  放電空間
１３６  蛍光体層
１４０  シャ−シーベース
１５０  回路部
１５１  映像処理部
１５２  論理制御部
１５３  アドレス駆動部
１５４  Ｘ駆動部
１５５  Ｙ駆動部
１５６  電源供給部
１６０  ＦＰＣ
１７０  ＴＣＰ
１７１  配線部
１７２  素子
１８０  カバー部材
１８１  本体部
１８２  延長部
１８３  溝部
１８４  固定ピン
１８５  ねじ
１９０  熱伝導媒体
【図１】
2006113543.tif 000003
【図２】
2006113543.tif 000004
【図３】
2006113543.tif 000005
【図４】
2006113543.tif 000006
【図５】
2006113543.tif 000007